(57)【要約】【課題】  スクリーンの摺動抵抗の増大を抑え、スクリーンを下ろした際に採光量が確保でき、日射遮蔽時にはスクリーンの温度上昇を抑える効果を奏するロールスクリーン装置を提供すること。【解決手段】  ロールスクリーン装置１は、障子２の表面を覆うキャンバス１０と、障子２の上部に位置する上部巻取りロール２０と、障子２の下部に位置する下部巻取りロール３０と、障子２を囲うように幅方向と上下方向とにそれぞれ延設され、キャンバス１０が密着するフレーム４０と、キャンバス１０をフレーム４０に密着し若しくは離間するローラ５０と、ローラ５０のスライドをガイドするガイドレール６０と、ローラ５０を付勢するスプリング７０とを備え、下部巻取りロール３０は、キャンバス１０が障子２の表面を覆いキャンバス１０の巻き取りが終わった後に、スプリング７０の付勢力に抗して回動し、キャンバス１０がフレーム４０と密着するまでローラ５０をスライドする。【選択図】  図４
2012097492.tif 000002
【特許請求の範囲】
【請求項１】
障子の何れか一方の表面を覆うスクリーンと、
前記障子の上部に位置し、前記スクリーンを巻取り若しくは巻戻す上部巻取りロールと、
前記障子の下部に位置し、前記上部巻取りロールと連動して前記スクリーンを巻戻し若しくは巻取る下部巻取りロールと、
前記上部巻取りロールと前記下部巻取りロールとの間で、前記障子を囲うように幅方向と上下方向とにそれぞれ延設され、前記スクリーンが密着するフレームと、
前記上部巻取りロールと前記下部巻取りロールとの間で前記障子の上部と下部とにそれぞれ位置して、前記スクリーンを前記フレームに密着し若しくは離間するようにスライドするローラと、
前記スクリーンが前記フレームと密着若しくは離間するように前記ローラのスライドをガイドするガイドレールと、
前記スクリーンが前記フレームから離間する方向に前記ローラを付勢する弾性体と、を備えるロールスクリーン装置であって、
前記上部巻取りロール若しくは前記下部巻取りロールは、前記スクリーンが前記障子の前記表面を覆い前記スクリーンの巻き取りが終わった後に、前記弾性体の付勢力に抗して回動し、前記スクリーンが前記フレームと密着するまで前記ローラをスライドするロールスクリーン装置。
【請求項２】
前記弾性体は、前記フレームに沿って伸縮して、一端が前記フレームに固設され、他端は連結部材を介して前記ローラに連結することを特徴とする請求項１に記載のロールスクリーン装置。
【請求項３】
前記ローラは、前記フレームの前記スクリーンが密着する面よりも障子側にスライドすることを特徴とする請求項１又は請求項２に記載のロールスクリーン装置。
【発明の詳細な説明】
【技術分野】
【０００１】
本発明は、日射を遮熱するスクリーンを備えたロールスクリーン装置に関する。
【背景技術】
【０００２】
従来技術のロールスクリーン装置として、開口部に対向する外側部に、ガイドに沿って上げ下ろし可能な非通気性のスクリーンを備え、スクリーンを下ろして開口部を閉鎖したときにスクリーンと透光板入り開口部との間の空間を密閉して、開口部の熱の出入りを制御するものがある（例えば、特許文献１参照。）。
【０００３】
また、遮光性を備えた第一の生地と透光性を備えた第二の生地が接続されたスクリーンで、上部巻取り装置と下部巻取り装置のスクリーンの巻取り量により、第一の生地と第二の生地とを選択するロールスクリーン装置がある（例えば、特許文献２参照。）。
【先行技術文献】
【特許文献】
【０００４】
【特許文献１】特開２００２−１２１９８１号公報
【特許文献２】特開２００８−１８４８５３号公報
【発明の概要】
【発明が解決しようとする課題】
【０００５】
しかしながら特許文献１のロールスクリーン装置では、スクリーンはガイドに沿って摺動するため、スクリーンを上げ下ろしする際に摺動抵抗が生じる。よってスクリーンを上げ下ろしするには摺動抵抗に勝る力（トルク）が必要で、モータの大型化とコストの増大を招来する問題がある。
【０００６】
また、特許文献２のロールスクリーン装置では、遮光性を備えた第一の生地を選択すると、遮熱性は向上するものの採光量が低下して、室内が暗くなる問題がある。また、日射遮蔽時は、第一の生地の表面のみの通気となり、第一の生地自身の温度上昇を抑える効果が低くなる問題がある。
【０００７】
本発明は上記問題点に鑑みて成されたものであり、スクリーンの摺動抵抗の増大を抑え、スクリーンを下ろした際に採光量が確保でき、日射遮蔽時にスクリーンの温度上昇を抑える効果に優れたロールスクリーン装置を提供することを目的とする。
【課題を解決するための手段】
【０００８】
本発明の第１の課題解決手段は、障子の何れか一方の表面を覆うスクリーンと、前記障子の上部に位置し、前記スクリーンを巻取り若しくは巻戻す上部巻取りロールと、前記障子の下部に位置し、前記上部巻取りロールと連動して前記スクリーンを巻戻し若しくは巻取る下部巻取りロールと、前記上部巻取りロールと前記下部巻取りロールとの間で、前記障子を囲うように幅方向と上下方向とにそれぞれ延設され、前記スクリーンが密着するフレームと、前記上部巻取りロールと前記下部巻取りロールとの間で前記障子の上部と下部とにそれぞれ位置して、前記スクリーンを前記フレームに密着し若しくは離間するようにスライドするローラと、前記スクリーンが前記フレームと密着若しくは離間するように前記ローラのスライドをガイドするガイドレールと、前記スクリーンが前記フレームから離間する方向に前記ローラを付勢する弾性体と、を備えるロールスクリーン装置であって、前記上部巻取りロール若しくは前記下部巻取りロールは、前記スクリーンが前記障子の前記表面を覆い前記スクリーンの巻き取りが終わった後に、前記弾性体の付勢力に抗して回動し、前記スクリーンが前記フレームと密着するまで前記ローラをスライドする構成である。
【０００９】
また、本発明の第２の課題解決手段は、前記弾性体は、前記フレームに沿って伸縮して、一端が前記フレームに固設され、他端は連結部材を介して前記ローラに連結する構成である。
【００１０】
また、本発明の第３の課題解決手段は、前記ローラは、前記フレームの前記スクリーンが密着する面よりも障子側にスライドする構成である。
【発明の効果】
【００１１】
本発明のロールスクリーン装置では、スクリーンの巻取り若しくは巻戻す際は、スクリーンは弾性体に付勢されたローラによりフレームと離間した状態にある。したがってスクリーンとフレームとの間に摺動抵抗は生じない。また、スクリーンが障子の表面を覆うようにスクリーンを下ろした際（日射遮蔽時）には、スクリーンとフレームとは、弾性体の付勢力により離間した状態にある。このスクリーンとフレームとの間から拡散光が侵入し、必要なの採光量を確保できる。また、スクリーンは、フレームと離間した状態のため、日射側と障子側の両面から通風を取り入れることができ、対流によりスクリーン両面からの放熱効果により、スクリーンの温度上昇が抑えられる。また、上部巻取りロール若しくは下部巻取りロールは、スクリーンが障子の表面を覆いスクリーンの巻き取りが終わった後に、弾性体の付勢力に抗して回動し、スクリーンがフレームと密着するまでローラをスライドする構成（保温時）のため、スクリーン、障子、フレームで閉ざされた空間が形成され、この閉ざされた空間が断熱空間として作用して保温効果が得られる。また、スクリーンがフレームと密着するまでローラをスライドするのに上部巻取りロール若しくは下部巻取りロールの巻取り力（回動力）を利用するので、ローラのスライドに別途駆動源が不要で、コストの増加を抑えることができる。
【００１２】
また、弾性体は、フレームに沿って伸縮して、一端がフレームに固設され、他端は連結部材を介してローラに連結する構成のため、ガイドレールに弾性体を設けるスペース（例えば圧縮ばね径、ばね長さ等）が必要ないため、ガイドレールの設計の自由度が向上する。
【００１３】
また、ローラは、フレームのスクリーンが密着する面よりも障子側にスライドする構成のため、上部巻取りロール若しくは下部巻取りロールが、スクリーンが障子の表面を覆いスクリーンの巻き取りが終わった後に、弾性体の付勢力に抗して回動し、ローラをスライドした際に、スクリーンとフレームとの確実な密着が得られる。
【図面の簡単な説明】
【００１４】
【図１】本発明のロールスクリーン装置で、採光モードの場合の（ａ）側面図、（ｂ）斜視図である。
【図２】本発明のロールスクリーン装置で、日射遮蔽モードの場合の（ａ）側面図、（ｂ）斜視図である。
【図３】本発明のロールスクリーン装置で、日射遮蔽モードの場合の下部巻取りロールの詳細を示す（ａ）側面図、（ｂ）斜視図である。
【図４】本発明のロールスクリーン装置で、保温モードの場合の下部巻取りロールの詳細を示す（ａ）側面図、（ｂ）斜視図である。
【図５】開閉窓に本発明のロールスクリーン装置を取り付けた場合の斜視図である。
【発明を実施するための形態】
【００１５】
以下に本発明の実施の形態を図面に基づいて詳細に説明する。
【００１６】
図１は、本発明のロールスクリーン装置１で、採光モードの場合の（ａ）側面図、（ｂ）斜視図である。ロールスクリーン装置１は、キャンバス１０（スクリーン）と、キャンバス１０を巻取った状態の上部巻取りロール２０と、下部巻取りロール３０と、フレーム４０と、ローラ５０と、ローラ５０のスライドをガイドするガイドレール６０と、ローラ５０を付勢するスプリング７０（弾性体）と、から構成される。
【００１７】
キャンバス１０は、遮光性と遮熱性を備える布材で、障子２の幅方向両側にはワイヤ１１が取り付けられている。上部巻取りロール２０は、図示しないねじりバネによりキャンバス１０を常に上部巻取りロール２０に巻き取る方向に付勢している。下部巻取りロール３０は、キャンバス１０を下部巻取りロール３０に巻き取るための駆動用モータ３１が設けられている。上部巻取りロール２０と下部巻取りロール３０との間は、ワイヤ１１で連結している。キャンバス１０は、下部巻取りロール３０の巻取りに連動して上部巻取りロール２０より巻戻される。フレーム４０は、上部巻取りロール２０と下部巻取りロール３０との間で、障子２を囲うように幅方向と上下方向とにそれぞれ延設される。フレーム４０の密着面４１（面）は、障子２からの高さが同じになるように構成される。ローラ５０は、上部巻取りロール２０と下部巻取りロール３０との間で障子２の上部と下部とにそれぞれ設けられ、ガイドレール６０にガイドされる。スプリング７０は、上下方向のフレーム４０に沿って伸縮するように設けられ、一端はフレームに固設され、他端はステンレスワイヤ（連結部材）を介してローラ５０に連結する構成である。スプリング７０は、キャンバス１０に取り付けられたワイヤ１１をフレーム４０の密着面４１から離間するようにローラ５０を付勢する。
【００１８】
図２は、本発明のロールスクリーン装置１で、日射遮蔽モードの場合の（ａ）側面図、（ｂ）斜視図である。日射遮蔽モードでは、キャンバス１０は、障子２の屋外側の表面を覆っている。このときキャンバス１０は、上部巻取りロール２０に設けたねじりバネにより、たるみの無い状態に保持される。
【００１９】
図３は、日射遮蔽モードの場合の下部巻取りロール３０の詳細で、（ａ）側面図、（ｂ）斜視図である。ロールスクリーン装置１の上部と下部の構成は同様であるため、下部の構成について詳細に説明する。キャンパス１０は、ローラ５０、位置規制ローラ３２の経由して、下部巻取りロール３０に巻き取られる。ガイドレール６０には、障子２から屋外側に延びる長穴６１が形成される。ローラ５０は長穴６１と係合して、長穴６１に沿ってガイドされる。日射遮蔽モードでは、ローラ５０は長穴６１の屋外側に位置する。スプリング７０に取り付けられたステンレスワイヤ７１は、ガイドレール６０に設けた第１ピン６２、第２ピン６３を介してローラ５０に連結する。スプリング７０は、キャンバス１０をフレーム４０の密着面４１から離間する方向にローラ５０を付勢する。
【００２０】
図４は、本発明のロールスクリーン装置１で、保温モードの場合の下部巻取りロール３０の詳細を示す（ａ）側面図、（ｂ）斜視図である。キャンバス１０は、フレーム４０の密着面４１と密着する。ローラ５０は、長穴６１の障子２側にある。このときローラ５０は、密着面４１よりも障子２側に位置する。
【００２１】
本発明のロールスクリーン装置の動作を図１〜図４を用いて説明する。
【００２２】
採光モード（図１）では、キャンバス１０は上部巻取りロール２０に巻き取られた状態で、障子２を通して室内は採光される。このときキャンバス１０に取り付けられたワイヤ１１はフレーム４０の密着面４１から離間した状態にある。
【００２３】
日射遮蔽モード（図２、３）にする場合、図示しないスイッチにより下部巻取りロール３０を駆動する駆動モータ３１を作動する。下部巻取りロール３０は、キャンパス１０を上部巻取りロール２０のねじりバネの付勢力に抗して下部巻取りロール３０に巻き取る。このときキャンバス１０はスプリング７０の付勢力によりフレーム４０の密着面４１と離間した状態になる。キャンバス１０は障子２の表面を覆いキャンバス１０の下部巻取りロール３０への巻き取りが終わる。
【００２４】
保温モード（図４）にする場合、キャンバス１０の下部巻取りロール３０への巻き取りが終わった後で、駆動モータ３１を作動して下部巻取りロール３０を回動する。下部巻取りロール３０はスプリング７０の付勢力に抗して、ローラ５０を長穴６１の障子２側にスライドする（図４）。ローラ５０が長穴６１の障子２側にスライドすると、キャンバス１０は、フレーム４０の密着面４１と密着する。このとき、キャンバス１０、障子２、フレーム４０により閉ざされた空間４２が形成される。
【００２５】
本発明のロールスクリーン装置１では、キャンバス１０の巻取り若しくは巻戻す際は、キャンバス１０はスプリング７０に付勢されたローラ５０によりフレーム４０と離間した状態にある。したがってキャンバス１０とフレーム４０との間に摺動抵抗は生じない。また、キャンバス１０が障子２の表面を覆うキャンバス１０を下ろした際（日射遮蔽モード）には、キャンバス１０とフレーム４０とは、スプリング７０の付勢力により離間した状態にある。このキャンバス１０とフレーム４０との間から拡散光が侵入し、必要なの採光量を確保できる。また、キャンバス１０は、フレーム４０と離間した状態のため、日射側と障子２側の両面から通風を取り入れが可能である。通風による対流でキャンバス１０の両面から放熱して、キャンバス１０の温度上昇が抑えられる。また、上部巻取りロール２０若しくは下部巻取りロール３０は、キャンバス１０が障子２の表面を覆いキャンバス１０の巻き取りが終わった後に、スプリング７０の付勢力に抗して回動し、キャンバス１０がフレーム４０と密着するまでローラ５０をスライドする。キャンバス１０がフレーム４０と密着すると、キャンバス１０、障子２、フレーム４０とで閉ざされた空間４２が形成され、この閉ざされた空間４２が断熱空間として作用して保温効果が得られる（保温モード）。また、キャンバス１０がフレーム４０と密着するまでローラ５０をスライドするのに下部巻取りロール３０の駆動用モータ３１の巻取り力を利用するので、ローラ５０のスライドに別途駆動源が不要で、コストの増加を抑えることができる。
【００２６】
また、スプリング７０は、フレーム４０に沿って伸縮して、一端がフレーム４０に固設され、他端はステンレスワイヤ７１を介してローラ５０に連結する構成のため、ガイドレール６０にキャンバス１０をフレーム４０から離間させる弾性力をローラ５０に付与するためのスプリング７０を設けるスペース（スプリング径、スプリング長さ等）が必要ないため、ガイドレール６０の設計の自由度が向上する。
【００２７】
また、ローラ５０は、フレーム４０のキャンバス１０が密着する面よりも障子２側にスライドする構成のため、上部巻取りロール２０若しくは下部巻取りロール３０が、キャンバス１０が障子２の表面を覆いキャンバス１０の巻き取りが終わった後に、スプリング７０の付勢力に抗して回動し、ローラ５０をスライドしても、キャンバス１０とフレーム４０との確実な密着が得られる。
【００２８】
図５は、本実施例の変形例で、開閉窓３にロールスクリーン装置１を取り付けた場合の斜視図である。ロールスクリーン装置１を開閉窓３に取り付けることで、通風を目的とした窓の開閉と、太陽高度・方位に対する直射光を遮る目的を両立したロールスクリーン装置一体の開閉窓が構成できる。また、すっきりした意匠性とロールスクリーン装置１の後付け対応が可能である。
【００２９】
本実施例では、駆動用モータ３１で下部巻取りロール３０を駆動したが、上部巻取りロール２０を駆動してもよい。また、駆動用モータ３１の代わりに手動ギヤを用いてもよい。
【符号の説明】
【００３０】
１  ロールスクリーン装置
２  障子
１０  キャンバス（スクリーン）
２０  上部巻取りロール
３０  下部巻取りロール
４０  フレーム
４１  面（密着面）
５０  ローラ
６０  ガイドレール
７０  スプリング（弾性体）
７１  ステンレスワイヤ（連結部材）
【図１】
2012097492.tif 000003
【図２】
2012097492.tif 000004
【図３】
2012097492.tif 000005
【図４】
2012097492.tif 000006
【図５】
2012097492.tif 000007